(57)【要約】【課題】適切に保護された発光体を備える照明器具を提供する。【解決手段】透光領域２１を有する板状の透光部材２０と、一面が開放された箱状の取付具３０であって、当該一面が透光部材２０に面するように透光部材２０に取り付けられる取付具３０と、取付具３０内に挿入される発光モジュール４０とを備え、取付具３０は、上記一面に垂直な面に設けられた、発光モジュール４０を透光部材２０に沿ってスライド挿入するための挿入口３１を有し、発光モジュール４０は、発光面を有する面状発光体１００と、面状発光体１００を保持し、かつ、発光面が透光領域２１に重なるように取付具３０と係合する保持具１１０とを備え、保持具１１０は、面状発光体１００の外形より、発光モジュール４０の挿入方向に突出している。【選択図】図７
2015162264.tif 000002
【特許請求の範囲】
【請求項１】
透光領域を有する板状の透光部材と、
一面が開放された箱状の取付具であって、前記一面が前記透光部材に面するように前記透光部材に取り付けられる取付具と、
前記取付具内に挿入される発光モジュールとを備え、
前記取付具は、
前記一面に垂直な面に設けられた、前記発光モジュールを前記透光部材に沿ってスライド挿入するための挿入口を有し、
前記発光モジュールは、
発光面を有する面状発光体と、
前記面状発光体を保持し、かつ、前記発光面が前記透光領域に重なるように前記取付具と係合する保持具とを備え、
前記保持具は、
前記面状発光体の外形より、前記発光モジュールの挿入方向に突出している
照明器具。
【請求項２】
前記保持具は、
前記面状発光体の前記発光面とは反対側の面に設けられ、
前記面状発光体の外形より大きい面積を有する
請求項１に記載の照明器具。
【請求項３】
前記取付具は、
前記一面の反対側の面を構成する板状の平板部と、
前記平板部から前記一面に向かう方向に凸で、弾性変形可能な凸部とを有する
請求項１又は２に記載の照明器具。
【請求項４】
前記保持具は、前記凸部に係合する穴を有する
請求項３に記載の照明器具。
【請求項５】
前記平板部は、前記凸部の周囲の一部に切り欠きを有し、
前記凸部は、前記平板部の一部を折り曲げた形状を有する
請求項３又は４に記載の照明器具。
【請求項６】
前記凸部は、前記発光モジュールの挿入方向に対して傾斜した傾斜面を有する
請求項３〜５のいずれか１項に記載の照明器具。
【請求項７】
前記凸部は、さらに、前記発光モジュールの挿入方向に対して垂直の垂直面を有する
請求項６に記載の照明器具。
【請求項８】
前記取付具は、前記挿入口に対向する面を構成する板状の当接部であって、前記発光モジュールの端面が当接する当接部を有し、
前記挿入口は、前記当接部の幅より広い
請求項３〜７のいずれか１項に記載の照明器具。
【請求項９】
前記取付具は、前記挿入口に対向する面を構成する板状の当接部であって、前記発光モジュールの端面が当接する当接部を有し、
前記当接部は、第１開口を有する
請求項３〜７のいずれか１項に記載の照明器具。
【請求項１０】
前記平板部は、前記第１開口に連続する第２開口を有する
請求項９に記載の照明器具。
【請求項１１】
前記透光部材は、さらに、前記透光領域の周囲に、外光を反射する鏡領域を有する
請求項３〜１０のいずれか１項に記載の照明器具。
【請求項１２】
前記面状発光体は、光を反射する反射電極を備え、
前記透光領域は、前記発光モジュールの消灯時に、前記外光を透過し、かつ、前記反射電極が反射した外光を透過する
請求項１１に記載の照明器具。
【請求項１３】
前記平板部の主面であって、前記透光部材に面する主面は、鏡面である
請求項１１又は１２に記載の照明器具。
【請求項１４】
前記取付具は、前記透光部材の中央より端部に近い位置に取り付けられ、
前記挿入口は、前記透光部材の端部より中央に近い位置に設けられる
請求項１〜１３のいずれか１項に記載の照明器具。
【発明の詳細な説明】
【技術分野】
【０００１】
本発明は、面状に発光する発光体を備える照明器具に関する。
【背景技術】
【０００２】
従来、有機ＥＬ（Ｅｌｅｃｔｒｏ−Ｌｕｍｉｎｅｓｃｅｎｃｅ）素子を備える発光モジュールを用いた面状発光体、及び、当該面状発光体を備える照明装置が知られている（例えば、特許文献１）。特許文献１に記載の面状発光体は、透明基板と、一対の電極間に介装された有機ＥＬ発光層と、一対の電極及び有機ＥＬ発光層を透明基板との間に封止する封止板とを備える。
【先行技術文献】
【特許文献】
【０００３】
【特許文献１】特開２０１３−１８２８６７号公報
【発明の概要】
【発明が解決しようとする課題】
【０００４】
上記従来の面状発光体では、例えば、透明基板にガラス基板が用いられる。このため、面状発光体は、衝撃に弱く、他の部材に衝突した場合に破損する恐れがある。
【０００５】
そこで、本発明は、適切に保護された発光体を備える照明器具を提供する。
【課題を解決するための手段】
【０００６】
上記課題を解決するため、本発明の一態様に係る照明器具は、透光領域を有する板状の透光部材と、一面が開放された箱状の取付具であって、前記一面が前記透光部材に面するように前記透光部材に取り付けられる取付具と、前記取付具内に挿入される発光モジュールとを備え、前記取付具は、前記一面に垂直な面に設けられた、前記発光モジュールを前記透光部材に沿ってスライド挿入するための挿入口を有し、前記発光モジュールは、発光面を有する面状発光体と、前記面状発光体を保持し、かつ、前記発光面が前記透光領域に重なるように前記取付具と係合する保持具とを備え、前記保持具は、前記面状発光体の外形より、前記発光モジュールの挿入方向に突出している。
【０００７】
また、例えば、前記保持具は、前記面状発光体の前記発光面とは反対側の面に設けられ、前記面状発光体の外形より大きい面積を有してもよい。
【０００８】
また、例えば、前記取付具は、前記一面の反対側の面を構成する板状の平板部と、前記平板部から前記一面に向かう方向に凸で、弾性変形可能な凸部とを有してもよい。
【０００９】
また、例えば、前記保持具は、前記凸部に係合する穴を有してもよい。
【００１０】
また、例えば、前記平板部は、前記凸部の周囲の一部に切り欠きを有し、前記凸部は、前記平板部の一部を折り曲げた形状を有してもよい。
【００１１】
また、例えば、前記凸部は、前記発光モジュールの挿入方向に対して傾斜した傾斜面を有してもよい。
【００１２】
また、例えば、前記凸部は、さらに、前記発光モジュールの挿入方向に対して垂直の垂直面を有してもよい。
【００１３】
また、例えば、前記取付具は、前記挿入口に対向する面を構成する板状の当接部であって、前記発光モジュールの端面が当接する当接部を有し、前記挿入口は、前記当接部の幅より広くてもよい。
【００１４】
また、例えば、前記取付具は、前記挿入口に対向する面を構成する板状の当接部であって、前記発光モジュールの端面が当接する当接部を有し、前記当接部は、第１開口を有してもよい。
【００１５】
また、例えば、前記平板部は、前記第１開口に連続する第２開口を有してもよい。
【００１６】
また、例えば、前記透光部材は、さらに、前記透光領域の周囲に、外光を反射する鏡領域を有してもよい。
【００１７】
また、例えば、前記面状発光体は、光を反射する反射電極を備え、前記透光領域は、前記発光モジュールの消灯時に、前記外光を透過し、かつ、前記反射電極が反射した外光を透過してもよい。
【００１８】
また、例えば、前記平板部の主面であって、前記透光部材に面する主面は、鏡面であってもよい。
【００１９】
また、例えば、前記取付具は、前記透光部材の中央より端部に近い位置に取り付けられ、前記挿入口は、前記透光部材の端部より中央に近い位置に設けられてもよい。
【発明の効果】
【００２０】
本発明によれば、適切に保護された発光体を備える照明器具を提供することができる。
【図面の簡単な説明】
【００２１】
【図１】本発明の実施の形態に係る照明器具の一例を示す概観斜視図である。
【図２】本発明の実施の形態に係る照明器具の使用例を示す図である。
【図３】本発明の実施の形態に係る照明器具の一例を示す分解斜視図である。
【図４】本発明の実施の形態に係る取付具の一例を示す概観斜視図である。
【図５Ａ】本発明の実施の形態に係る透光部材に対する取付具及び発光モジュールの配置の一例を示す平面図である。
【図５Ｂ】本発明の実施の形態に係る透光部材に対する取付具及び発光モジュールの配置の別の一例を示す平面図である。
【図６】本発明の実施の形態に係る発光モジュールのスライド挿入例を示す図である。
【図７】本発明の実施の形態に係る発光モジュールの一例を示す断面図（ａ）及び上面図（ｂ）である。
【図８】本発明の実施の形態に係る保持具の突出部分の一例を示す断面図である。
【図９Ａ】本発明の実施の形態に係る取付具の凸部の一例を示す断面図である。
【図９Ｂ】本発明の実施の形態に係る取付具の凸部の別の一例を示す断面図である。
【図１０】本発明の実施の形態の変形例に係る取付具を示す平面図である。
【図１１】本発明の実施の形態の別の変形例に係る取付具を示す斜視図である。
【図１２】本発明の実施の形態の別の変形例に係る発光モジュールの一例を示す平面図である。
【発明を実施するための形態】
【００２２】
（本発明の基礎となった知見）
本発明者は、「背景技術」の欄において記載した照明器具に関し、以下の問題が生じることを見出した。
【００２３】
照明器具に用いられる発光モジュールは、照明器具の使用を続けていくうちに劣化する。例えば、発光モジュールが備える有機ＥＬ素子などの発光素子は、劣化により発光量が少なくなる。このため、照明器具では、発光モジュールが交換可能であることが望まれる。しかしながら、発光モジュールを交換する際に、発光モジュールの取付具などに対して、発光モジュールが衝突して破損してしまう恐れがある。
【００２４】
例えば、発光モジュールの交換をスムーズに行うために、所定の取付具に対して発光モジュールをスライドさせて挿入し、又は、取り出すことが考えられる。このとき、発光モジュールをスライドさせた時に発光モジュールの端部が誤って取付具に衝突し、ガラス基板などの衝撃に弱い部材が破損する恐れがある。
【００２５】
そこで、発光モジュールのスライド挿入時に発光体を保護することが求められる。
【００２６】
このような問題を解決するために、本発明の一態様に係る照明器具は、透光領域を有する板状の透光部材と、一面が開放された箱状の取付具であって、当該一面が透光部材に面するように透光部材に取り付けられる取付具と、取付具内に挿入される発光モジュールとを備え、取付具は、上記一面に垂直な面に設けられた、発光モジュールを透光部材に沿ってスライド挿入するための挿入口を有し、発光モジュールは、発光面を有する面状発光体と、面状発光体を保持し、かつ、発光面が透光領域に重なるように取付具と係合する保持具とを備え、保持具は、面状発光体の外形より、発光モジュールの挿入方向に突出している。
【００２７】
これにより、適切に保護された発光体を備える照明器具を提供することができる。
【００２８】
以下では、本発明の実施の形態に係る照明器具について、図面を用いて詳細に説明する。なお、以下に説明する実施の形態は、いずれも本発明の好ましい一具体例を示すものである。したがって、以下の実施の形態で示される数値、形状、材料、構成要素、構成要素の配置及び接続形態などは、一例であり、本発明を限定する趣旨ではない。よって、以下の実施の形態における構成要素のうち、本発明の最上位概念を示す独立請求項に記載されていない構成要素については、任意の構成要素として説明される。
【００２９】
また、各図は、模式図であり、必ずしも厳密に図示されたものではない。また、各図において、同じ構成部材については同じ符号を付している。
【００３０】
（実施の形態）
［照明器具の概要］
まず、本実施の形態に係る照明器具の概要について、図１及び図２を用いて説明する。図１は、本実施の形態に係る照明器具１を示す概観斜視図である。図２は、本実施の形態に係る照明器具１の使用例について示す図である。
【００３１】
照明器具１は、照明付きの鏡である。図１に示すように、透光領域２１と、鏡領域２２とを有する透光部材２０を備える。透光領域２１は、透光部材２０の中央より端部に近い位置に配置されている。
【００３２】
照明器具１は、点灯時は、図２の（ａ）に示すように、透光領域２１から光が出射されると同時に、鏡領域２２は、被写体１０の鏡像１１を映す。簡単に言い換えると、照明器具１は、透光部材２０の中央部分が鏡として被写体１０の鏡像１１を映すと同時に、透光部材２０の周縁部分から被写体１０に対して光を照射する。
【００３３】
一方で、照明器具１は、消灯時は、図２の（ｂ）に示すように、全面が鏡になる。すなわち、透光領域２１及び鏡領域２２の両方が鏡像１１を映すことができる。つまり、透光領域２１にも鏡像１１を映すことができる。
【００３４】
なお、図１に示す例では、透光領域２１が矩形である例について示しているが、これに限らない。透光領域２１は、図２に示すような星形などの所定の図形、又は、複数の図形を組み合わせた模様でもよい。あるいは、透光領域２１は、アニメなどのキャラクターの形状でもよい。
【００３５】
続いて、本実施の形態に係る照明器具１の詳細な構成について、図３を用いて説明する。図３は、本実施の形態に係る照明器具１を示す分解斜視図である。なお、図３は、照明器具１を裏面側から見たときの図を示している。なお、光の出射側を表面側、その反対側を裏面側とする。
【００３６】
図３に示すように、照明器具１は、透光部材２０と、取付具３０と、発光モジュール４０と、フレーム５０と、木枠６０と、裏面カバー７０とを備える。
【００３７】
［透光部材］
まず、透光部材２０について図１及び図３を用いて説明する。
【００３８】
透光部材２０は、図１に示すように、透光領域２１と、鏡領域２２とを有する板状の透光部材である。
【００３９】
透光部材２０の形状は、平面視において、例えば、図３に示すように六角形であるが、これに限らない。透光部材２０の平面視形状は、三角形若しくは四角形などの多角形、又は、円形若しくは楕円形でもよい。
【００４０】
なお、平面視とは、透光部材２０を表面側又は裏面側から見ることを意味する。したがって、透光部材２０の平面視形状は、透光部材２０を表面側又は裏面側から見たときの透光部材２０の形状である。
【００４１】
透光部材２０は、例えば、ガラス板又はアクリル板などの透光性の板状の部材から構成される。透光部材２０の一方の主面（裏面）には、一部の領域を除いて、アルミニウム又は銀などの金属が蒸着されている。
【００４２】
透光領域２１は、金属が蒸着されていない領域であり、発光モジュール４０から発せられた光を透過させる。透光領域２１は、例えば、発光モジュール４０の発光面と略同じ大きさ、又は、発光面より小さい大きさである。
【００４３】
透光領域２１は、例えば、透光部材２０の全面に蒸着した金属の一部をエッチングすることで形成される。あるいは、透光領域２１は、透光領域２１を覆うマスクを用いて金属を蒸着することで形成されてもよい。
【００４４】
透光領域２１は、点灯時に、発光モジュール４０からの光を透過させることで、被写体１０には光って見える領域である。透光領域２１は、透光部材２０の中央より端部に近い領域に設けられる。これにより、点灯時であっても、透光部材２０の中央部分を鏡として利用することができる。
【００４５】
鏡領域２２は、外光を反射する領域である。例えば、鏡領域２２は、金属が蒸着されている領域であり、蒸着された金属が被写体１０からの光を反射することで、被写体１０の鏡像１１を映すことができる。鏡領域２２は、透光領域２１の周囲に設けられる。具体的には、鏡領域２２は、透光部材２０の平面領域のうち、透光領域２１を除く領域である。
【００４６】
なお、透光部材２０は、金属板などの遮光性を有する板部材でもよい。透光部材２０に貫通孔を形成することで、当該貫通孔が透光領域２１として機能する。
【００４７】
［取付具］
次に、取付具３０について、図３及び図４を用いて説明する。図４は、本実施の形態に係る取付具３０を示す概観斜視図である。
【００４８】
取付具３０は、図４に示すように、一面（第１の面）が開放された箱状の取付具である。図４に示す例では、第１の面は、紙面上方向に位置する天面であり、当該天面が開放されている。
【００４９】
取付具３０は、図３に示すように、開放された一面（第１の面）が透光部材２０に面するように透光部材２０に取り付けられる。例えば、取付具３０は、透光領域２１の少なくとも一部を覆うように、透光部材２０の裏面に接着剤を用いて接着されている。接着剤は、例えば、両面テープである。
【００５０】
取付具３０の平面視形状は、発光モジュール４０の外形の一部と略同一の形状である。本実施の形態では、発光モジュール４０の外形が略矩形であるので、取付具３０の平面視形状も矩形である。取付具３０は透光部材２０とともに、発光モジュール４０が挿入される略直方体状の空間を形成する。
【００５１】
取付具３０は、例えば、アルミニウム若しくはステンレスなどの金属材料、又は、樹脂材料から構成される。なお、取付具３０は、発光モジュール４０が透光部材２０に密着するように発光モジュール４０を押圧するため、ステンレスなどの硬い部材から構成されることが好ましい。取付具３０は、例えば、金属板のプレス加工によって形成される。
【００５２】
ここで、本実施の形態に係る透光部材２０に対する取付具３０の配置について、図５Ａ及び図５Ｂを用いて説明する。図５Ａ及び図５Ｂは、本実施の形態に係る透光部材２０に対する取付具３０及び発光モジュール４０の配置の一例を示す平面図である。
【００５３】
図５Ａ及び図５Ｂに示すように、取付具３０は、透光部材２０の中央より端部に近い位置に取り付けられる。例えば、取付具３０は、透光部材２０の中心より端面に近い位置に配置される。言い換えると、透光部材２０の中心と端面とを結ぶ線分の中点より端面に近い位置に配置される。なお、取付具３０の位置は、透光領域２１（及び発光モジュール４０）の位置に対応する。
【００５４】
本実施の形態では、複数の取付具３０が透光部材２０に取り付けられる。一例として、図５Ａ及び図５Ｂに示す例では、６つの取付具３０が透光部材２０の端部に近い領域に配置されている。
【００５５】
図５Ａ及び図５Ｂに示す複数の矢印は、複数の発光モジュール４０の挿入方向を示している。図５Ａ及び図５Ｂに示すように、複数の発光モジュール４０の挿入方向は、透光部材２０の中央から端部に向かう方向である。言い換えると、発光モジュール４０を挿入するための挿入口３１は、透光部材２０の端部より中央に近い位置に設けられている。
【００５６】
図５Ａと図５Ｂとでは、取付具３０が配置される位置は同じであるが、配置される向きが異なっている。図５Ａに示す例では、６つの取付具３０が線対称になる向きで配置されている。線対称の軸は、透光部材２０の中心を通り、紙面上下方向又は左右方向に平行な軸である。
【００５７】
図５Ｂに示す例では、６つの取付具３０が点対称（回転対称）になる向きで配置されている。点対称（回転対称）の中心は、透光部材２０の中心である。図５Ｂに示す例では、複数の取付具３０のそれぞれの挿入口３１は、透光部材２０の中心を向いている。言い換えると、発光モジュール４０の挿入方向は、透光部材２０の中心から放射状に広がる方向である。
【００５８】
なお、図５Ａ及び図５Ｂに示す取付具３０の配置及び向きは一例であって、これらに限らない。例えば、複数の取付具３０は互いに離間しているが、互いに隣接していてもよい。
【００５９】
次に、本実施の形態に係る取付具３０の詳細な構成について、図４を用いて説明する。図４に示すように、取付具３０は、直交する２つの面が開放された略直方体である。開放された２つの面の一方である第１の面（天面）が、透光部材２０に面する面であり、取付具３０が透光部材２０に取り付けられることで、当該第１の面は、透光部材２０に覆われる。開放された２つの面の他方である第２の面は、挿入口３１に相当する。
【００６０】
図４に示すように、取付具３０は、平板部３２と、凸部３３と、当接部３４と、接着部３５とを有する。平板部３２、当接部３４及び２つの接着部３５は、２つの面が開放された略直方体の残りの４つの面をそれぞれ構成する。
【００６１】
挿入口３１は、開放された一面（第１の面）に垂直な面に設けられた開口であって、発光モジュール４０を透光部材２０に沿ってスライド挿入するための挿入口である。具体的には、挿入口３１は、略直方体の６つの面のうち開放された１つの面である第２の面に相当する。挿入口３１の大きさは、発光モジュール４０の端面より大きく、例えば、発光モジュール４０の端面と略同じ大きさである。
【００６２】
なお、本実施の形態では、第２の面が開放されることにより、第２の面そのものが挿入口３１に相当するが、これに限らない。例えば、挿入口３１は、第２の面を構成する板体の一部に設けられた開口であってもよい。
【００６３】
平板部３２は、開放された一面の反対側の面を構成する板状の平板部である。具体的には、平板部３２は、透光部材２０に対向する面を構成し、発光モジュール４０がスライド挿入された場合、発光モジュール４０に当接する。平板部３２は、透光部材２０に平行である。
【００６４】
平板部３２の主面であって、透光部材２０に面する主面、すなわち、平板部３２の内側の主面は、鏡面である。例えば、平板部３２は、ステンレスなどの光沢のある金属材料から構成されているので、光を反射することができる。このとき、平板部３２の内側の主面を研磨することで、反射率をより高めてもよい。
【００６５】
したがって、発光モジュール４０が挿入されていない場合に、透光部材２０の透光領域２１を透過した光は、平板部３２の主面によって反射されて透光領域２１を透過する。このため、例えば、被写体１０からの光を平板部３２が反射することができるので、発光モジュール４０が挿入されていない場合にも、透光領域２１を鏡として利用することができる。
【００６６】
また、平板部３２は、凸部３３の周囲の一部に切り欠き３２ａを有する。切り欠き３２ａによって、凸部３３は、部分的に平板部３２から分離され、弾性変形しやすくなっている。
【００６７】
凸部３３は、平板部３２から、開放された一面（第１の面）に向かう方向に凸であり、弾性変形可能である。つまり、凸部３３は、発光モジュール４０を透光部材２０に押圧する方向に凸である。
【００６８】
凸部３３は、平板部３２の法線方向に弾性変形可能である。具体的には、発光モジュール４０が取付具３０内に挿入されている間、凸部３３は、発光モジュール４０によって透光部材２０から離れる方向に押圧される。凸部３３は、弾性変形することによって、その反力で発光モジュール４０を透光部材２０に近づく方向に押圧する。これにより、発光モジュール４０を透光部材２０に密着させることができる。
【００６９】
なお、平板部３２には、複数の凸部３３が設けられていてもよい。凸部３３の具体的な形状などについては、後で説明する。
【００７０】
当接部３４は、挿入口３１に対向する面を構成する板状の当接部であって、発光モジュール４０の端面が当接する。当接部３４は、発光モジュール４０のスライド方向（挿入方向及び取り出し方向）に交差する端面に沿った形状の板体である。具体的には、当接部３４は、２つの面が開放された略直方体の残りの４つのうちの１つの面であって、挿入口３１に対向する面を構成する。例えば、当接部３４は、平板部３２及び透光部材２０に垂直な板体であり、かつ、発光モジュール４０のスライド方向に直交する。
【００７１】
当接部３４には、発光モジュール４０のスライド方向の端面が当接する。発光モジュール４０の端面が当接部３４に当接することで、発光モジュール４０の位置決めを行うことができる。
【００７２】
接着部３５は、取付具３０を透光部材２０に取り付ける際に、透光部材２０に接着される。例えば、接着部３５は、両面テープなどの接着剤によって透光部材２０に接着される。
【００７３】
具体的には、接着部３５は、２つの面が開放された略直方体の残りの４つのうちの１つの面であって、発光モジュール４０のスライド方向に平行な面を構成する。例えば、接着部３５は、平板部３２及び透光部材２０に垂直な板体であり、かつ、発光モジュール４０のスライド方向に平行である。なお、接着部３５には、透光部材２０との接着面積を大きくするためにフランジが設けられている。
【００７４】
また、接着部３５は、発光モジュール４０の挿入時のガイドレールとして機能し、かつ、発光モジュール４０の左右方向の位置決めを行う。なお、左右方向とは、スライド方向に対して垂直な方向である。
【００７５】
当接部３４及び接着部３５はそれぞれ、平板部３２の端部から立設するように設けられている。当接部３４及び接着部３５の高さは、発光モジュール４０の厚さと略同じである。
【００７６】
平板部３２、凸部３３、当接部３４及び接着部３５は、同一の部材（例えば、金属板）から一体形成されるが、これに限らない。平板部３２、凸部３３、当接部３４及び接着部３５はそれぞれ、別体であってもよい。
【００７７】
また、当接部３４及び接着部３５は、平板でなくてもよい。例えば、発光モジュール４０が円形であれば、発光モジュール４０の周である円弧に沿った形状の曲面板でもよい。また、当接部３４は、接着部３５と同様に透光部材２０に接着されてもよい。
【００７８】
［発光モジュール］
次に、発光モジュール４０について図６及び図７を用いて説明する。図６は、本実施の形態に係る発光モジュール４０のスライド挿入例を示す図である。図７は、本実施の形態に係る発光モジュール４０を示す断面図（ａ）及び平面図（ｂ）である。なお、図６は、図５Ａに示す領域Ａについて示している。
【００７９】
図７に示すように、発光モジュール４０は、面状発光体１００と、保持具１１０とを備える。なお、図７の（ａ）は、（ｂ）のＢ−Ｂ断面を示している。具体的には、図７の（ａ）は、保持具１１０に設けられた穴１１２を通る断面を示している。
【００８０】
まず、発光モジュール４０の挿入例について図６を用いて説明する。
【００８１】
図６に示すように、発光モジュール４０は、取付具３０内に挿入される。具体的には、発光モジュール４０は、透光部材２０に沿って取付具３０の挿入口３１から取付具３０内にスライド挿入される。挿入方向は、例えば、透光部材２０に平行で、かつ、挿入口３１に直交する方向である。
【００８２】
図６の（ｂ）に示すように、取付具３０は、挿入された発光モジュール４０の一部を覆っている。言い換えると、発光モジュール４０は、取付具３０内に完全に収容されるのではなく、一部が取付具３０からはみ出ている。このため、取付具３０に覆われていない部分（すなわち、取付具３０からはみ出た部分）を押さえてスライドさせることで、発光モジュール４０を容易に取り出すことができる。
【００８３】
なお、図６の（ａ）に示すように、取付具３０は、透光領域２１を覆うように設けられる。これは、挿入された発光モジュール４０の発光面を透光領域２１に重ねるためである。具体的には、取付具３０は、透光領域２１の一部を覆っている。例えば、発光モジュール４０が取付具３０からはみ出ている場合、透光領域２１も同様に取付具３０からはみ出ている。
【００８４】
なお、発光モジュール４０は、取付具３０内に収容されてもよい。つまり、発光モジュール４０の全体が、取付具３０に覆われていてもよい。
【００８５】
［面状発光体］
次に、面状発光体１００について説明する。面状発光体１００は、発光面を有し、平面状に発光する発光体である。
【００８６】
面状発光体１００は、透明基板１０１と、有機ＥＬ素子１０２と、封止部材１０３と、ＦＰＣ（Ｆｌｅｘｉｂｌｅ  Ｐｒｉｎｔｅｄ  Ｃｉｒｃｕｉｔｓ）１０４と、コネクタ１０５とを備える。有機ＥＬ素子１０２は、第１電極１０２ａと、発光層を含む有機層１０２ｂと、第２電極１０２ｃとを備える。
【００８７】
透明基板１０１は、可視光の少なくとも一部を透過する透明基板である。透明基板１０１の主面であって、有機ＥＬ素子１０２が設けられる面と反対側の面が発光面である。
【００８８】
例えば、透明基板１０１は、ソーダガラス、無蛍光ガラス、リン酸系ガラス、ホウ酸系ガラスなどのガラス基板である。あるいは、透明基板１０１は、石英基板又はプラスチック基板でもよい。
【００８９】
有機ＥＬ素子１０２は、透明基板１０１上に設けられ、第１電極１０２ａと第２電極１０２ｃとの間に所定の電圧が印加されることにより発光する。
【００９０】
第１電極１０２ａは、発光面側に設けられた電極であり、例えば、透明基板１０１上に設けられている。第１電極１０２ａは、例えば、有機ＥＬ素子１０２の陽極であり、発光時には、第２電極１０２ｃよりも高い電圧が印加される。
【００９１】
第１電極１０２ａは、可視光の少なくとも一部を透過する透明の導電性材料から構成される。例えば、第１電極１０２ａは、酸化インジウムスズ（ＩＴＯ）から構成される。例えば、第１電極１０２ａは、蒸着法又はスパッタリング法などによって導電膜を成膜し、成膜した導電膜をパターニングすることで形成される。
【００９２】
有機層１０２ｂは、発光層を含み、第１電極１０２ａと第２電極１０２ｃとの間に設けられる。例えば、有機層１０２ｂは、正孔注入層、正孔輸送層、発光層、電子輸送層及び電子注入層を含んでいる。
【００９３】
発光層は、第１電極１０２ａと第２電極１０２ｃとの間に所定の電圧が印加された場合に発光する有機層である。例えば、発光層は、可視光領域の光（例えば、赤色、青色又は白色）を発する。
【００９４】
有機層１０２ｂは、ジアミン、アントラセン、金属錯体などの有機材料から構成される。例えば、有機層１０２ｂは、蒸着法、スピンコート法、キャスト法などにより形成される。
【００９５】
第２電極１０２ｃは、発光面とは反対側に設けられた電極であり、有機層１０２ｂ上に設けられる。第２電極１０２ｃは、例えば、有機ＥＬ素子１０２の陰極であり、発光時には、第１電極１０２ａより低い電圧が印加される。
【００９６】
第２電極１０２ｃは、例えば、アルミニウム、銀若しくはマグネシウム、又は、これらの少なくとも１種類を含む合金などから構成される。例えば、第２電極１０２ｃは、蒸着法又はスパッタリング法などによって形成される。
【００９７】
第２電極１０２ｃは、光を反射する反射電極である。第２電極１０２ｃは、発光モジュール４０の点灯時に、有機層１０２ｂから発せられた光を発光面側に反射する。さらに、第２電極１０２ｃは、発光モジュール４０の消灯時に、透光領域２１、透明基板１０１、第１電極１０２ａ及び有機層１０２ｂを透過した外光を反射する。すなわち、第２電極１０２ｃは、発光モジュール４０の消灯時には、鏡面として機能する。言い換えると、透光領域２１は、発光モジュール４０の消灯時に外光を透過し、かつ、第２電極１０２ｃが反射した外光を透過する。
【００９８】
封止部材１０３は、有機ＥＬ素子１０２を覆うように設けられて、有機ＥＬ素子１０２を外気から保護する。具体的には、封止部材１０３は、有機ＥＬ素子１０２への水分及び酸素の浸入を抑制する。なお、図示しないが、第１電極１０２ａ及び第２電極１０２ｃのそれぞれに給電するための端子部が封止部材１０３の外に引き出されている。
【００９９】
封止部材１０３の形状は、有機ＥＬ素子１０２を外気から保護し、かつ、有機ＥＬ素子１０２の外周部へ引き出された端子部間を非導通にすることができる形状であれば、特に限定されない。封止部材１０３は、例えば、窒化シリコンなどの無機物、又は、ＵＶ硬化樹脂などの有機物から構成される。あるいは、封止部材１０３は、ガラス基板と、当該ガラス基板と透明基板１０１とを接着する樹脂材料とから構成されてもよい。
【０１００】
ＦＰＣ１０４は、封止部材１０３の外部に引き出された端子部に給電するための配線が設けられたプリント基板である。ＦＰＣ１０４に設けられた配線は、ＦＰＣ１０４上に設けられたコネクタ１０５と、第１電極１０２ａ及び第２電極１０２ｃのそれぞれに電気的に接続される端子部とを電気的に接続するための配線である。
【０１０１】
ＦＰＣ１０４と端子部とは、例えば、異方性導電フィルム（ＡＣＦ：Ａｎｉｓｏｔｒｏｐｉｃ  Ｃｏｎｄｕｃｔｉｖｅ  Ｆｉｌｍ）又は異方性導電ペースト（ＡＣＰ：Ａｎｉｓｏｔｒｏｐｉｃ  Ｃｏｎｄｕｃｔｉｖｅ  Ｐａｓｔｅ）などを用いて電気的に接続することができる。
【０１０２】
ＦＰＣ１０４は、例えば、片面ＦＰＣ、両面ＦＰＣ、多層ＦＰＣ及びＦ／Ｒなどがあり、いずれにおいても、絶縁材料を用いたベース及びカバーレイと、金属箔と、接着剤とから構成されている。ＦＰＣ１０４のベース及びカバーレイの材料としてはポリイミド、ポリエチレンナフタレート、ＬＣＰ（Ｌｉｑｕｉｄ  Ｃｒｙｓｔａｌ  Ｐｏｌｙｍｅｒ）などが使用される。金属箔の材料としては銅箔などが使用される。接着剤の材料としてはエポキシ系接着剤などが使用される。
【０１０３】
コネクタ１０５は、有機ＥＬ素子１０２を点灯するための電力を受けるためのコネクタである。例えば、コネクタ１０５には、外部の電源回路と接続されたリード線が接続されて、電源回路から直流電力が入力される。入力された直流電力は、ＦＰＣ１０４の配線及び端子部を介して、第１電極１０２ａと第２電極１０２ｃとの間に所定の電圧を発生させて、発光層を発光させることができる。
【０１０４】
コネクタ１０５は、例えば、樹脂で形成された容器と、金属ピンとを有する。金属ピンは、ＦＰＣ１０４の配線に接続される。
【０１０５】
［保持具］
次に、保持具１１０について、図７及び図８用いて説明する。図８は、本実施の形態に係る保持具１１０の突出部分を示す断面図である。なお、図８は、図７の（ｂ）に示すＣ−Ｃ断面を示している。
【０１０６】
保持具１１０は、面状発光体１００を保持する保持具であり、面状発光体１００の発光面が透光領域に重なるように取付具３０と係合する。
【０１０７】
保持具１１０は、例えば、板状の部材であり、面状発光体１００の発光面とは反対側の面に設けられる。具体的には、図７の（ａ）に示すように、保持具１１０は、接着部材１１１によって封止部材１０３に接着されている。
【０１０８】
保持具１１０は、例えば、面状発光体１００より強度の高い材料から構成される。具体的には、保持具１１０は、透明基板１０１を構成する材料（例えば、ガラス）より強度の強い物質から構成される。
【０１０９】
また、保持具１１０は、熱伝導率が高い材料でもよい。保持具１１０として熱伝導率が高い材料を用いることで、有機ＥＬ素子１０２から発せられた熱を均一にすることができ、発光の面内均一性を向上させることができる。例えば、保持具１１０は、アルミニウムなどの金属板である。
【０１１０】
保持具１１０は、平面視において、面状発光体１００の外形より、発光モジュール４０の挿入方向に突出している。面状発光体１００の外形は、例えば、透明基板１０１の外形である。例えば、図８に示すように、保持具１１０の端面は、面状発光体１００の端面、具体的には、透明基板１０１の端面より長さＬだけ外側に飛び出ている。
【０１１１】
なお、図７の（ｂ）において、発光モジュール４０の挿入方向は、紙面下方である。図７の（ｂ）に示すように、保持具１１０は、透明基板１０１の外形（図７の（ｂ）における太破線）より挿入方向（紙面下方）に突出している。
【０１１２】
例えば、図７の（ｂ）に示すように、保持具１１０は、平面視において、面状発光体１００の外形より大きい面積を有する。具体的には、保持具１１０は、平面視において、透明基板１０１の外形より大きい面積を有し、透明基板１０１の全面を覆っている。
【０１１３】
図７の（ａ）に示すように、挿入方向に直交する方向（紙面左右方向）に対しても保持具１１０は、透明基板１０１の端面より外側に飛び出ている。これにより、面状発光体１００の挿入方向に平行な端面も保持することができる。
【０１１４】
発光モジュール４０を取付具３０内にスライド挿入する際に、正しい方向及び位置から外れた場合には、発光モジュール４０は、取付具３０の挿入口３１の周囲に衝突する。このとき、保持具１１０が面状発光体１００の外形より挿入方向に突出しているので、面状発光体１００ではなく、保持具１１０の端面が取付具３０に衝突する。
【０１１５】
このように、面状発光体１００の端面が取付具３０に衝突するのを防ぐことができる。例えば、透明基板１０１は強度が高くないガラス基板であるので、衝突を防止することで、面状発光体１００が破損する可能性を低減することができる。
【０１１６】
なお、接着部材１１１は、例えば、粘着性のシリコンシートなどであるが、これに限らない。接着部材１１１は、保持具１１０と封止部材１０３とを接着し、固定することができる材料であればいかなるものでもよい。
【０１１７】
また、保持具１１０は、透明基板１０１より強度の低い物質から構成されてもよい。例えば、保持具１１０は、衝撃を吸収する素材から構成されてもよい。このとき、本実施の形態では、取付具３０が保持具１１０を押圧することで、発光面と透光部材２０との密着性を高めるので、押圧される箇所は、強度の高い物質であることが好ましい。
【０１１８】
また、図７に示すように、保持具１１０は、穴１１２を有する。
【０１１９】
穴１１２は、取付具３０の凸部３３に係合する。穴１１２は、図７の（ｂ）に示すように、平面視において矩形であるが、これに限らない。穴１１２は、凸部３３が挿入される形状、例えば、凸部３３と係合する形状であればよい。
【０１２０】
例えば、穴１１２の幅と、凸部３３の幅とが略同じであり、凸部３３が穴１１２に挿入されることで、取付具３０と保持具１１０との位置決めを行うことができる。なお、このとき、挿入方向に直交する方向において、穴１１２の幅と凸部３３の幅とを同じにすることで、挿入方向に直交する方向（図７の（ｂ）において左右方向）への位置決めを行うことができる。
【０１２１】
これにより、例えば、取付具３０内において発光モジュール４０の遊びが存在する場合であっても、発光モジュール４０を適切な位置に挿入することができる。つまり、発光面を透光領域２１に適切に重ねることができる。なお、発光モジュール４０の遊びとは、取付具３０内で発光モジュール４０が移動できる量であり、例えば、取付具３０の横幅を規定する２つの接着部３５間の距離と、発光モジュール４０の幅との差である。
【０１２２】
本実施の形態では、穴１１２は、保持具１１０の中央に設けられているが、これに限らない。また、穴１１２は、例えば、凸部３３と同じ数だけ設けられる。なお、穴１１２は、保持具１１０を貫通する例について示しているが、貫通していなくてもよい。
【０１２３】
［フレーム、木枠及びカバー］
続いて、本実施の形態に係るフレーム５０、木枠６０及び裏面カバー７０について図３を用いて説明する。
【０１２４】
フレーム５０は、透光部材２０を保持し、かつ、補強する。フレーム５０は、例えば、透光部材２０の周に沿った形状を有する。具体的には、フレーム５０は、六角形の枠状部材であり、枠内には１以上の桟５１が設けられている。
【０１２５】
図３に示すように、フレーム５０は、３つの桟５１を備える。２つの桟５１は、互いに平行に設けられ、残りの１つの桟５１に直交するように設けられている。桟５１は、フレーム５０を補強するために設けられている。
【０１２６】
フレーム５０及び桟５１は、例えば、ステンレスなどの金属材料から構成される。なお、桟５１の数及び配置などは一例であり、これに限らない。また、桟５１に、発光モジュール４０に電源供給するための電源などを取り付けてもよい。
【０１２７】
木枠６０は、透光部材２０の周縁に設けられ、透光部材２０の端部を保護する。木枠６０には、裏面側から順に、透光部材２０、フレーム５０及び裏面カバー７０が取り付けられる。例えば、木枠６０に透光部材２０を嵌め入れた後、フレーム５０を木枠６０にネジ止めすることで、透光部材２０を木枠６０に固定する。さらに、裏面カバー７０をフレーム５０又は木枠６０にネジ止めする。
【０１２８】
裏面カバー７０は、透光部材２０の裏面、すなわち、取付具３０及び発光モジュール４０が設けられる面を保護するカバーである。裏面カバー７０は、例えば、プラスチックなどの樹脂材料又は金属材料から構成される。
【０１２９】
なお、裏面カバー７０には、所定の取付面（例えば、壁などの建材）に取り付けるための取付部材を設けてもよい。
【０１３０】
［凸部］
続いて、取付具３０が備える凸部３３の詳細について、図４を参照しながら図９Ａ及び図９Ｂを用いて説明する。図９Ａ及び図９Ｂは、本実施の形態に係る取付具３０の凸部３３の一例を示す断面図である。具体的には、図９Ａ及び図９Ｂは、図７に示すＤ−Ｄ断面に相当する断面を示している。なお、図９Ａ及び図９Ｂでは、説明をより分かりやすくするため、保持具１１０と取付具３０とを示し、面状発光体１００は示していない。
【０１３１】
図９Ａに示すように、凸部３３ａは、凸部３３の一例であり、傾斜面３６と、垂直面３７とを備える。凸部３３ａは、平板部３２の一部を折り曲げた形状を有する。例えば、図４に示すように、切り欠き３２ａによって囲まれた部分を折り曲げることで、凸部３３ａは形成される。
【０１３２】
傾斜面３６は、発光モジュール４０の挿入方向に対して傾斜した面である。例えば、傾斜面３６は、挿入方向、すなわち、平板部３２に平行な平面から所定の角度だけ、透光部材２０に向かう方向に傾斜している。所定の角度は、例えば、１〜１０度程度であるが、これに限らない。
【０１３３】
垂直面３７は、発光モジュール４０の挿入方向に対して垂直な面である。例えば、垂直面３７は、平板部３２から垂直に立設する面であり、かつ、傾斜面３６に連続する面である。図９Ａに示すように、垂直面３７と傾斜面３６とによって、断面が三角形の凸部３３ａが形成される。
【０１３４】
なお、傾斜面３６と垂直面３７とは分離していてもよい。すなわち、切り欠き３２ａが傾斜面３６と垂直面３７との間に設けられてもよい。
【０１３５】
凸部３３ａは、発光モジュール４０が取付具３０内にスライド挿入されるときに、傾斜面３６が発光モジュール４０の端面に押されることで、弾性変形により上方に持ち上げられる。持ち上げられた凸部３３ａは、保持具１１０に沿ってスライドし、穴１１２に挿入される。これにより、発光モジュール４０をスムーズに挿入することができる。
【０１３６】
また、垂直面３７が穴１１２の壁面に係止することで、発光モジュール４０がスライドして挿入口３１から出てしまう、すなわち、発光モジュール４０の脱離を抑制することができる。
【０１３７】
さらに、傾斜面３６は、弾性変形の反力によって保持具１１０を押圧している。具体的には、傾斜面３６は、穴１１２の壁面の一部を押圧する。これにより、発光モジュール４０を透光部材２０に密着させることができる。
【０１３８】
本実施の形態では、穴１１２は保持具１１０の中央に設けられているので、凸部３３ａの傾斜面３６は、保持具１１０の中央付近を押圧することができる。これにより、発光モジュール４０に均一に力を加えることができるので、発光モジュール４０と透光部材２０との密着性をより高めることができる。
【０１３９】
なお、本実施の形態に係る凸部３３は、図９Ｂに示すように、２つの傾斜面３６を有する凸部３３ｂでもよい。凸部３３ｂは、凸部３３ａと比較して、垂直面３７の代わりに傾斜面３６を有する。
【０１４０】
これにより、発光モジュール４０をスムーズにスライド挿入するできるだけでなく、スムーズにスライドさせて取り出すことができる。
【０１４１】
［まとめ］
以上のように、本実施の形態に係る照明器具１は、透光領域２１を有する板状の透光部材２０と、一面が開放された箱状の取付具３０であって、当該一面が透光部材２０に面するように透光部材２０に取り付けられる取付具３０と、取付具３０内に挿入される発光モジュール４０とを備え、取付具３０は、上記一面に垂直な面に設けられた、発光モジュール４０を透光部材２０に沿ってスライド挿入するための挿入口３１を有し、発光モジュール４０は、発光面を有する面状発光体１００と、面状発光体１００を保持し、かつ、発光面が透光領域２１に重なるように取付具３０と係合する保持具１１０とを備え、保持具１１０は、面状発光体１００の外形より、発光モジュール４０の挿入方向に突出している。
【０１４２】
これにより、保持具１１０が面状発光体１００の外形より挿入方向に突出しているので、発光モジュール４０をスライド挿入する際に面状発光体１００の端面が取付具３０に衝突するのを抑制することができる。このように、本実施の形態によれば、適切に保護された面状発光体１００を備える照明器具１を提供することができる。
【０１４３】
また、保持具１１０は、面状発光体１００の発光面とは反対側の面に設けられ、面状発光体１００の外形より大きい面積を有する。
【０１４４】
これにより、保持具１１０の面積が面状発光体１００より大きいので、面状発光体１００を覆い隠すことが可能で、全体的に保護することができる。
【０１４５】
また、取付具３０は、一面の反対側の面を構成する板状の平板部３２と、平板部３２から一面に向かう方向に凸で、弾性変形可能な凸部３３とを有する。
【０１４６】
これにより、弾性変形可能な凸部３３を設けることで発光モジュール４０を透光部材２０に押し当てる押圧力を増すことができ、発光モジュール４０と透光部材２０との密着性を高めることができる。
【０１４７】
また、保持具１１０は、凸部３３に係合する穴１１２を有する。
【０１４８】
これにより、穴１１２と凸部３３とが係合することで、発光モジュール４０の位置決めを容易に行うことができる。
【０１４９】
また、平板部３２は、凸部３３の周囲の一部に切り欠き３２ａを有し、凸部３３は、平板部３２の一部を折り曲げた形状を有する。
【０１５０】
これにより、例えば、取付具３０をステンレス板などのプレス加工などにより容易に製造することができる。
【０１５１】
また、凸部３３は、発光モジュール４０の挿入方向に対して傾斜した傾斜面３６を有する。
【０１５２】
これにより、発光モジュール４０をスライド挿入する際に傾斜面３６が押されて自然に持ち上がることで、発光モジュール４０を容易に挿入することができる。
【０１５３】
また、凸部３３は、さらに、発光モジュール４０の挿入方向に対して垂直の垂直面３７を有する。
【０１５４】
これにより、垂直面３７と保持具１１０の穴１１２の壁面とが当接することで、発光モジュール４０が挿入口３１から飛び出すことを抑制することができる。
【０１５５】
また、透光部材２０は、さらに、透光領域２１の周囲に、外光を反射する鏡領域２２を有する。
【０１５６】
これにより、消灯時には、照明器具１を鏡として利用し、点灯時には、照明器具１を一部が光る鏡として利用することができる。
【０１５７】
また、面状発光体１００は、光を反射する第２電極１０２ｃを備え、透光領域２１は、発光モジュール４０の消灯時に、外光を透過し、かつ、第２電極１０２ｃが反射した外光を透過する。
【０１５８】
これにより、発光モジュール４０の消灯時には、透光領域２１も鏡として利用することができるので、例えば、透光部材２０の全面を鏡として利用することができる。
【０１５９】
また、平板部３２の主面であって、透光部材２０に面する主面は、鏡面である。
【０１６０】
これにより、発光モジュール４０を取り外した場合、透光領域２１を通過した外光が取付具３０の裏面によって反射される。したがって、発光モジュール４０を取り外した場合でも、照明器具１を鏡として利用することができる。
【０１６１】
また、取付具３０は、透光部材２０の中央より端部に近い位置に取り付けられ、挿入口３１は、透光部材２０の端部より中央に近い位置に設けられる。
【０１６２】
これにより、取付具３０及び透光領域２１が透光部材２０の端部寄りの位置に配置されるので、透光領域２１の中央を鏡面として利用することができる。
【０１６３】
（変形例）
以下では、本実施の形態に係る照明器具１の変形例について図面を用いて説明する。
【０１６４】
例えば、本実施の形態に係る照明器具１では、取付具３０の挿入口３１の幅が発光モジュール４０の幅と略同一である例について示したが、これに限らない。挿入口３１の幅は、発光モジュール４０の幅より十分に広くてもよい。
【０１６５】
図１０は、本実施の形態の変形例に係る取付具１３０を示す平面図である。図１０に示すように、取付具１３０の挿入口１３１は、発光モジュール４０の幅より十分に広い。つまり、挿入口１３１は、当接部３４の幅より広い。
【０１６６】
具体的には、図１０に示すように、２つの接着部３５が、当接部３４から挿入口１３１に近付く程、互いに離れるように設けられている。なお、接着部３５は、直線状に設けられる例について示しているが、段階的に広がってもよく、ラッパ状に広がってもよい。
【０１６７】
これにより、挿入口１３１の幅が発光モジュール４０の外形より幅広であるので、発光モジュール４０を取付具１３０内に容易に挿入することができる。また、発光モジュール４０が取付具１３０の挿入口１３１部分に衝突する可能性を低くすることができるので、面状発光体１００を適切に保護することができる。
【０１６８】
また、本実施の形態に係る照明器具１では、発光モジュール４０を取り出す際に、取付具３０からはみ出た部分を押さえてスライドさせる例について示したが、これに限らない。取付具３０に発光モジュール４０を押し出すための開口を設けてもよい。
【０１６９】
図１１は、本実施の形態の別の変形例に係る取付具１３０ａを示す斜視図である。図１１に示すように、取付具１３０ａの当接部１３４は、第１開口１３８を有する。さらに、取付具１３０ａの平板部１３２は、第１開口１３８に連続する第２開口１３９を有する。
【０１７０】
これにより、例えば、指などによって第１開口１３８及び第２開口１３９を介して発光モジュール４０を押し出すことができる。したがって、発光モジュール４０を透光部材２０に押さえつける場合に比べて、発光モジュール４０の発光面には力がかからないので、発光面を保護することができる。
【０１７１】
また、本実施の形態に係る照明器具１では、保持具１１０が面状発光体１００の全面を覆うように設けられた例について示したが、これに限らない。保持具１１０は、面状発光体１００の端部のみを保護するように、発光モジュール４０の挿入方向に突出していてもよい。
【０１７２】
図１２は、本実施の形態に係る発光モジュール４０ａを示す平面図である。図１２に示すように、発光モジュール４０ａの保持具１１０ａは、面状発光体１００の端部を保護するように設けられる。
【０１７３】
具体的には、本実施の形態に係る面状発光体１００は、矩形であるので、挿入方向に位置する２つの端部を覆うようにＬ字型の２つの保持具１１０ａが面状発光体１００に取り付けられる。この場合、図１２のＥ−Ｅ断面は、図８に示す断面と同様であるので、スライド挿入する際に面状発光体１００を適切に保護することができる。
【０１７４】
矩形の発光モジュール４０ａをスライド挿入する際に、取付具３０に最も衝突しやすく、かつ、衝突した場合に破損しやすいのが、矩形の角に相当する端部である。したがって、図１２に示す保持具１１０ａによって、矩形の角を保護することで、発光モジュール４０ａを適切に保護することができる。
【０１７５】
（その他）
以上、本発明に係る照明器具について、上記実施の形態及びその変形例に基づいて説明したが、本発明は、上記の実施の形態に限定されるものではない。
【０１７６】
例えば、上記実施の形態及びその変形例では、透光領域２１が矩形又は星形などの単純な図形である例について示したが、透光領域２１は、より複雑な模様で形成されてもよい。
【０１７７】
本実施の形態に係る照明器具１は、消灯時は、鏡領域２２だけでなく透光領域２１も鏡として利用できるが、上述したように、透光領域２１で反射される光は、透光領域２１だけでなく、面状発光体１００の第１電極１０２ａ及び有機層１０２ｂを透過した光である。すなわち、透光領域２１で反射される光は、鏡領域２２で反射される光とは異なっているため、透光領域２１が単純な図形である場合、ユーザ（被写体１０）は、違和感を感じる恐れがある。
【０１７８】
これに対して、透光領域２１を複雑な模様で形成することで、特に消灯時に違和感のない鏡として利用することができる。つまり、ユーザ（被写体１０）は、消灯時には、照明器具１を周縁部分に模様の付いた鏡として認識することができる。
【０１７９】
また、上記実施の形態及びその変形例では、保持具１１０が面状発光体１００の裏面（封止部材１０３）に取り付けられる例について示したが、これに限らない。例えば、保持具１１０は、面状発光体１００の挿入方向の端面に設けられてもよい。この場合でも、発光モジュール４０を取付具３０内にスライド挿入する際に、面状発光体１００の端面を保護することができる。
【０１８０】
また、上記実施の形態及びその変形例では、取付具３０が、一体形成された凸部３３を備える例について示したが、これに限らない。取付具３０とは別体の部材によって、発光モジュール４０を透光部材２０に押圧してもよい。例えば、取付具３０に貫通孔を設け、当該貫通孔を挿通するネジなどによって発光モジュール４０を透光部材２０に押圧してもよい。
【０１８１】
また、上記実施の形態及びその変形例では、照明器具１が照明付きの鏡である例について示したが、これに限らない。すなわち、透光部材２０は、鏡領域２２を有していなくてもよい。例えば、鏡領域２２に対応する領域は、透光性又は遮光性を有してもよい。同様に、取付具３０の内側の主面は、鏡面でなくてもよい。
【０１８２】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０１８３】
１  照明器具
２０  透光部材
２１  透光領域
２２  鏡領域
３０、１３０、１３０ａ  取付具
３１、１３１  挿入口
３２、１３２  平板部
３２ａ  切り欠き
３３、３３ａ、３３ｂ  凸部
３４、１３４  当接部
３５  接着部
３６  傾斜面
３７  垂直面
４０、４０ａ  発光モジュール
１００  面状発光体
１０１  透明基板
１０２  有機ＥＬ素子
１０２ａ  第１電極
１０２ｂ  有機層
１０２ｃ  第２電極（反射電極）
１０３  封止部材
１１０、１１０ａ  保持具
１１１  接着部材
１１２  穴
１３８  第１開口
１３９  第２開口
【図１】
2015162264.tif 000003
【図２】
2015162264.tif 000004
【図３】
2015162264.tif 000005
【図４】
2015162264.tif 000006
【図５Ａ】
2015162264.tif 000007
【図５Ｂ】
2015162264.tif 000008
【図６】
2015162264.tif 000009
【図７】
2015162264.tif 000010
【図８】
2015162264.tif 000011
【図９Ａ】
2015162264.tif 000012
【図９Ｂ】
2015162264.tif 000013
【図１０】
2015162264.tif 000014
【図１１】
2015162264.tif 000015
【図１２】
2015162264.tif 000016